(57)【要約】【課題】誤操作などにより誤ったアイコンが選択されることが抑制できるようにする。【解決手段】アイコン表示部１０３は、画面情報記憶部１０１に記憶されている画面情報の中で、画面表示部１０２が表示部１０６に現在表示している第１画面（現画面）に対し、他の画面である第２画面、第３画面を表示順位に則って次に表示される画面として表示するため、次画面の画面情報に関連付けた第１アイコンを、設定されている時間の間隔で切り替えて、現在表示されている現画面の一部に重ねて表示する。【選択図】  図１
2018173730.tif 000002
【特許請求の範囲】
【請求項１】
複数分の画面が用意され、その第１画面の次に代わりに第２画面が表示され、前記第２画面の次に代わりに第３画面が表示され、前記第３画面の次に代わりに前記第１画面が表示されるように表示順位が設定された各々の画面を表示するための画面情報を記憶する画面情報記憶部と、
前記画面情報記憶部に記憶されているいずれかの画面情報に対応する画面を表示部に表示する画面表示部と、
前記画面情報記憶部に記憶されている画面情報の中で、前記画面表示部が前記表示部に現在表示している現画面に対し、前記表示順位に則って次に表示される画面を表示するための画面情報に関連付けた第１アイコンを、設定されている時間の間隔で前記表示順位で切り替えて、前記表示部に現在表示されている現画面の一部に重ねて表示するように構成されたアイコン表示部と、
前記アイコン表示部により前記表示部に表示されている前記第１アイコンを介した選択操作を受け付けるように構成された入力受付部と、
前記入力受付部による選択操作の受け付けにより選択された前記第１アイコン関連付けられている画面情報を前記画面情報記憶部より取り出し、前記画面表示部が前記表示部に表示させている現画面に代わって、取り出した画面情報に対応する画面を切り替えて新たに現画面とするように構成された画面切替部と
を備えることを特徴とする表示装置。
【請求項２】
請求項１記載の表示装置において、
現在前記表示部が表示している画面に対して、他の画面が次画面として前記入力受付部に受け付けられた頻度を、画面毎に関連付けて記憶する頻度記憶部を更に備え、
前記アイコン表示部は、前記頻度記憶部に記憶されている頻度の大きさに対応して、前記頻度に関連付けられている画面に関連付けた前記第１アイコンの表示の切り替え時間を設定する
ことを特徴とする表示装置。
【請求項３】
請求項１記載の表示装置において、
現在前記表示部が表示している画面に対して、他の画面が次画面として前記入力受付部に受け付けられた頻度を、選択された前記第１アイコンに関連付けられている画面情報に関連付けて記憶する頻度記憶部と、
前記頻度記憶部に記憶されている頻度の大きさに対応して前記画面情報記憶部に記憶されている前記表示順位を更新するように構成された表示順位変更部と
を更に備えることを特徴とする表示装置。
【請求項４】
請求項１〜３のいずれか１項に記載の表示装置において、
前記アイコン表示部は、前記第１アイコンを前記現画面が透けて見えるように重ねて表示することを特徴とする表示装置。
【発明の詳細な説明】
【技術分野】
【０００１】
本発明は、表示装置に関し、アイコンにより次に表示される画面を選択する表示装置に関する。
【背景技術】
【０００２】
例えば、プラントなどの制御には、制御システムが用いられ、更に機器管理装置が用いられている。このような監視制御システムにおいては、ネットワークにより接続している現場に設置されたプロセス機器や各種センサなどのフィールド機器との間で信号をやりとりし、フィールド機器の動作を制御する。また、上記監視制御システムにおいては、フィールド機器の動作確認などの診断結果を表示し、パラメータ設定などを行っている。また、現場では、可搬型端末をフィールド機器に接続し、パラメータ設定などを行っている。また、パラメータ設定が可能な操作画面を備えるフィールド機器もある（特許文献１参照）。
【０００３】
このような機器において、操作画面（表示画面）には、オペレーションが可能なアプリケーションのアイコンが複数表示されている。また、このような機器では、操作画面において、マウスなどのポインティングデバイスや、タッチパネルを用いた様々な操作が可能となっている。
【先行技術文献】
【特許文献】
【０００４】
【特許文献１】特開２００１−１５４７８６号公報
【発明の概要】
【発明が解決しようとする課題】
【０００５】
ところで、可搬型端末やフィールド機器においては、画面が小さいため、表示されるアイコンも複数設けるとなるとかなり小さくなる。このため、選択操作に誤りが発生しやすい。特に、指で接触して操作するタッチパネルでは、アイコンが小さい場合、タッチミスによる誤操作が発生しやすい。
【０００６】
本発明は、以上のような問題点を解消するためになされたものであり、限られた表示スペースを活用して表示させたい次画面を円滑に選択できるように画面の表示切替操作を改善することを目的とする。
【課題を解決するための手段】
【０００７】
本発明に係る表示装置は、複数分の画面が用意され、その第１画面の次に代わりに第２画面が表示され、第２画面の次に代わりに第３画面が表示され、第３画面の次に代わりに第１画面が表示されるように表示順位が設定された各々の画面を表示するための画面情報を記憶する画面情報記憶部と、画面情報記憶部に記憶されているいずれかの画面情報に対応する画面を表示部に表示する画面表示部と、画面情報記憶部に記憶されている画面情報の中で、画面表示部が表示部に現在表示している現画面に対し、表示順位に則って次に表示される画面を表示するための画面情報に関連付けた第１アイコンを、設定されている時間の間隔で表示順位で切り替えて、表示部に現在表示されている現画面の一部に重ねて表示するように構成されたアイコン表示部と、アイコン表示部により表示部に表示されている第１アイコンを介した選択操作を受け付けるように構成された入力受付部と、入力受付部による選択操作の受け付けにより選択された第１アイコンに関連付けられている画面情報を画面情報記憶部より取り出し、画面表示部が表示部に表示させている現画面に代わって取り出した画面情報に対応する画面を切り替えて新たに現画面とするように構成された画面切替部とを備える。
【０００８】
上記表示装置において、現在表示部が表示している画面に対して、他の画面が次画面として入力受付部が受け付けた頻度を、画面毎に関連付けて記憶する頻度記憶部を更に備え、アイコン表示部は、頻度記憶部に記憶されている頻度の大きさに対応して、頻度に関連付けられている画面に関連付けた第１アイコンの表示の切り替え時間を設定するようにしてもよい。
【０００９】
上記表示装置において、現在表示部が表示している画面に対して、他の画面が次画面として入力受付部に受け付けられた頻度を、選択された第１アイコンに関連付けられている画面情報に関連付けて記憶する頻度記憶部と、頻度記憶部に記憶されている頻度の大きさに対応して画面情報記憶部に記憶されている表示順位を更新するように構成された表示順位変更部とを更に備えるようにしてもよい。
【００１０】
上記表示装置において、アイコン表示部は、第１アイコンを、現画面が透けて見えるように重ねて表示するようにしてもよい。
【発明の効果】
【００１１】
以上説明したように、本発明では、アイコン表示部が、現在表示部に表示している第１画面（現画面）に対し、他の画面である第２画面、第３画面を、設定されている時間の間隔で切り替えて、第１画面の一部に重ねて表示する。この結果、本発明によれば、限られた表示スペースを活用して表示させたい次画面を円滑に選択できるように画面の表示切替操作が改善するという優れた効果が得られる。
【図面の簡単な説明】
【００１２】
【図１】図１は、本発明の実施の形態１における表示装置の構成を示す構成図である。
【図２】図２は、本発明の実施の形態１における表示装置の動作例を説明するためのフローチャートである。
【図３】図３は、本発明の実施の形態２における表示装置の構成を示す構成図である。
【図４】図４は、本発明の実施の形態２における表示装置の動作例を説明するためのフローチャートである。
【図５】図５は、本発明の実施の形態３における表示装置の構成を示す構成図である。
【図６】図６は、本発明の実施の形態３における表示装置の動作例を説明するためのフローチャートである。
【図７】図７は、本発明に抱える表示装置のハードウエア構成を示す構成図である。
【発明を実施するための形態】
【００１３】
以下、本発明の実施の形態について図を参照して説明する。
【００１４】
［実施の形態１］
はじめに、本発明の実施の形態１に係る表示装置の構成について図１を用いて説明する。この表示装置は、画面情報記憶部１０１、画面表示部１０２、アイコン表示部１０３、入力受付部１０４、画面切替部１０５、表示部１０６を備える。
【００１５】
画面情報記憶部１０１は、この表示装置で表示される複数分の画面について、その中の第１画面が表示部１０６に表示されている状態で、その第１画面の次に代わりに第２画面が表示され、第２画面の次に代わりに第３画面が表示され、第３画面の次に代わりに第１画面が表示されるように表示順位が設定された各々の画面を表示するための画面情報を記憶する。なお、画面の数は３画面以上であれば任意の数で構わないが、説明が容易になるよう以下の説明では画面の数は３画面（第１画面、第２画面、第３画面）とする。
【００１６】
画面表示部１０２は、画面情報記憶部１０１に記憶されているいずれかの画面情報に対応する画面を表示部１０６に表示する。
【００１７】
アイコン表示部１０３は、画面情報記憶部１０１に記憶されている画面情報の中で、画面表示部１０２が表示部１０６に現在表示している現画面に対し、表示順位に則って次に表示される画面を表示するための画面情報に関連付けた第１アイコン、を、設定されている時間の間隔で切り替えて、現在表示されている現画面の一部に重ねて表示する。
【００１８】
例えば、現在、表示部１０６に第１画面が表示されている場合、アイコン表示部１０３は、第１アイコンとして先ず第２画面を１０秒表示した後に、切り替わって第３画面を１０秒表示したら、再び第２画面を表示し、１０秒ごとに第２画面と第３画面を切り替えて表示する。ここで、表示部１０６が、第１アイコンを、透明または半透明な状態で、現画面の一部に重ねて表示するようにしてもよい。アイコンを透明または半透明な状態で表示することで、アイコンの部分における現画面が、アイコンを通して透けて見えるようになる。
【００１９】
入力受付部１０４は、アイコン表示部１０３により表示部１０６に表示されている第１アイコンの選択操作を受け付ける。例えば、マウスなどのポインティングデバイス（不図示）の操作による選択の入力を受け付ける。また、例えば、表示部１０６は、いわゆるタッチパネル機能を備え、表示部１０６に表示される第１アイコンのタッチにより、第１アイコンの選択操作を受け付ける。
【００２０】
画面切替部１０５は、入力受付部１０４による選択操作の受け付けにより選択された第１アイコンに関連付けられている画面情報を画面情報記憶部１０１より取り出し、画面表示部１０２が表示部１０６に表示させている現画面を取り出した画面情報に対応する画面に切り替えて新たに現画面とする。
【００２１】
次に、実施の形態１における表示装置の動作例について、図２のフローチャートを用いて説明する。
【００２２】
まず、ステップＳ１０１で、画面表示部１０２が、画面情報記憶部１０１に記憶されている第１画面を表示するための画面情報に対応する画面（第１画面）を表示部１０６に表示する。
【００２３】
次に、ステップＳ１０２で、アイコン表示部１０３が、画面情報記憶部１０１に記憶されている画面情報の中で、画面表示部１０２が表示部１０６に現在表示している第１画面（現画面）に対し、表示順位に則って次に表示される第２画面を表示するための画面情報に関連付けた第１アイコンを表示する。
【００２４】
次に、ステップＳ１０３で、アイコン表示部１０３が、設定されている時間（例えば１０秒）が経過したか否かを判断する。ステップＳ１０３におけるアイコン表示部１０３による時間経過の判断で、設定されている時間が経過していない間は（ステップＳ１０３のｎｏ）、ステップＳ１０４で、入力受付部１０４が、現在、表示部１０６に表示されている第１アイコンに対する選択の操作を受け付ける状態で待機する。
【００２５】
次に、ステップＳ１０３で、アイコン表示部１０３が、設定されている１０秒が経過したことを判断すると（ステップＳ１０３のｙｅｓ）、ステップＳ１０５で、アイコン表示部１０３が、画面情報記憶部１０１に記憶されている画面情報の中で、画面表示部１０２が表示部１０６に現在表示している第１画面（現画面）に対し、表示順位に則って次の次に表示される第３画面を第２画面の代わりに第１アイコンとして表示するためにその画面情報に関連付け、ステップＳ１０２で、第３画面に切り替えた第１アイコンを表示部１０６に表示する。
【００２６】
また、上述したように、第１アイコンとして第３画像が表示部１０６に表示されている状態で、再度、ステップＳ１０３で、アイコン表示部１０３が、設定されている時間が経過したことを判断すると（ステップＳ１０３のｙｅｓ）、ステップＳ１０５で、アイコン表示部１０３が、画面情報記憶部１０１に記憶されている画面情報の中で、画面表示部１０２が表示部１０６に現在表示している第１画面（現画面）に対し、表示順位に則って次に表示される第２画面を表示するための画面情報に関連付け、第２画面を第１アイコンに切り替え、ステップＳ１０２で、切り替えた第１アイコンを表示部１０６に表示する。
【００２７】
ステップＳ１０４における、入力受付部１０４の第１アイコンの選択操作が受けられるまで、上述したステップＳ１０２→ステップＳ１０３（１０秒待機）→ステップＳ１０５→ステップＳ１０２を繰り返す。
【００２８】
上述したように、ステップＳ１０２→ステップＳ１０３→ステップＳ１０５→ステップＳ１０２を繰り返す中で、ステップＳ１０４で、入力受付部１０４が、現在、表示部１０６に表示されている第１アイコンに対する選択の操作を受け付けると（ステップＳ１０４のｙｅｓ）、ステップＳ１０６に移行する。ステップＳ１０６で、画面切替部１０５が、選択された第１アイコンに関連付けられている第２画面または第３画面の画面情報を画面情報記憶部１０１より取り出す。また、画面切替部１０５が、画面表示部１０２が表示部１０６に表示させている現画面（第１画面）を、取り出した画面情報に対応する第２画面または第３画面に切り替えて新たに現画面とする。
【００２９】
上述したように、画面切替部１０５による画面の切り替えがなされた後、ステップＳ１０７で、システムの終了が判断されると（ステップＳ１０７のｙｅｓ）、画面表示部１０２における表示動作を終了する。
【００３０】
一方、ステップＳ１０７で、システムの終了が判断されない場合（ステップＳ１０７のｎｏ）、ステップＳ１０１に戻り、画面表示部１０２は、画面切替部１０５により切り替えられた画面（例えば第２画面）の表示部１０６への表示を継続する。次に、ステップＳ１０２で、アイコン表示部１０３が、現画面である第２画面の次に表示される第３画面を表示するための画面情報に関連付け、第３画面を第１アイコンとして表示する。
【００３１】
次に、ステップＳ１０３で、アイコン表示部１０３が、１０秒が経過したか否かを判断する。ステップＳ１０３におけるアイコン表示部１０３による時間経過の判断で、１０秒が経過していない間は（ステップＳ１０３のｎｏ）、ステップＳ１０４で、入力受付部１０４が、現在、表示部１０６に表示されている第１アイコンに対する選択の操作を受け付ける状態で待機する。
【００３２】
次に、ステップＳ１０３で、アイコン表示部１０３が、設定されている１０秒が経過したことを判断すると（ステップＳ１０３のｙｅｓ）、ステップＳ１０５で、アイコン表示部１０３が、画面情報記憶部１０１に記憶されている画面情報の中で、画面表示部１０２が表示部１０６に現在表示している第２画面（現画面）に対し、表示順位に則って次の次に表示される第１画面を表示するための画面情報に関連付け、第１画面を第１アイコンに切り替え、ステップＳ１０２で、切り替えた第１アイコンを表示部１０６に表示する。
【００３３】
ステップＳ１０４における、入力受付部１０４の第１アイコンまたは第２アイコンの選択操作が受けられるまで、上述したステップＳ１０２→ステップＳ１０３（１０秒待機）→ステップＳ１０５→ステップＳ１０２を繰り返す。
【００３４】
上述したように、ステップＳ１０２→ステップＳ１０３→ステップＳ１０５→ステップＳ１０２を繰り返す中で、ステップＳ１０４で、入力受付部１０４が、現在、表示部１０６に表示されている第１アイコンに対する選択の操作を受け付けると（ステップＳ１０４のｙｅｓ）、ステップＳ１０６に移行する。ステップＳ１０６で、画面切替部１０５が、選択された第１アイコンまたは第２アイコンに関連付けられている第３画面または第１画面の画面情報を画面情報記憶部１０１より取り出す。また、画面切替部１０５が、画面表示部１０２が表示部１０６に表示させている現画面（第２画面）を、取り出した画面情報に対応する第３画面または第１画面に切り替えて新たに現画面とする。
【００３５】
上述した各ステップの動作を、ステップＳ１０７で終了と判断されるまで継続する。
【００３６】
以上に説明したように、実施の形態１によれば、一度に表示される選択可能なアイコンは１つに限られるので、誤操作などにより誤ったアイコンが選択されることが抑制できるようになる。
【００３７】
［実施の形態２］
次に、本発明の実施の形態２に係る表示装置の構成について図３を用いて説明する。この表示装置は、画面情報記憶部１０１、画面表示部１０２、アイコン表示部１０３、入力受付部１０４、画面切替部１０５、表示部１０６、および頻度記憶部１０７を備える。画面情報記憶部１０１、画面表示部１０２、入力受付部１０４、画面切替部１０５、表示部１０６、前述した実施の形態１と同様である。
【００３８】
頻度記憶部１０７は、入力受付部１０４が受け付けた頻度を、第１画面、第２画面、第３画面の各々にそのとき現画面として表示されていた画面別に関連付けて記憶する。頻度記憶部１０７には、過去に、第１画面が現画面として表示されているときに第２画面が選択された頻度、第１画面が現画面として表示されているときに第３画面が選択された頻度、第２画面が現画面として表示されているときに第３画面が選択された頻度、第２画面が現画面として表示されているときに第１画面が選択された頻度、第３画面が現画面として表示されているときに第１画面が選択された頻度、第３画面が現画面として表示されているときに第２画面が選択された頻度が、対応する画面に関連付けられて記憶されている。
【００３９】
実施の形態２において、アイコン表示部１０３は、頻度記憶部１０７に記憶されている頻度の大きさに対応して、頻度に関連付けられている画面に関連付けた第１アイコンの表示の切り替え時間を設定する。アイコン表示部１０３は、頻度が高いほど、切り替え時間を長く設定する。
【００４０】
例えば、アイコン表示部１０３は、頻度記憶部１０７に記憶されている各頻度の平均値をもとに、頻度がほぼ平均値の場合は切り替え時間を１０秒とする。また、アイコン表示部１０３は、頻度記憶部１０７に記憶されている各頻度の平均値をもとに、頻度が平均値より所定の値大きい場合、切り替え時間を１４秒とする。また、アイコン表示部１０３は、頻度記憶部１０７に記憶されている各頻度の平均値をもとに、頻度が平均値より所定の値小さい場合、切り替え時間を６秒とする。
【００４１】
次に、実施の形態２における表示装置の動作例について、図４のフローチャートを用いて説明する。
【００４２】
まず、ステップＳ２０１で、画面表示部１０２が、画面情報記憶部１０１に記憶されている第１画面の画面情報に対応する画面（第１画面）を表示部１０６に表示する。
【００４３】
次に、ステップＳ２０２で、アイコン表示部１０３が、画面情報記憶部１０１に記憶されている画面情報の中で、画面表示部１０２が表示部１０６に現在表示している第１画面（現画面）に対し、表示順位に則って次に表示される第２画面を表示するための画面情報に関連付け、第２画面を第１アイコンとして表示する切り替え時間を設定する。アイコン表示部１０３は、そのとき現画面（この場合、第１画面）として表示されていた画面別に、頻度記憶部１０７に記憶されている頻度の大きさに対応して、頻度に関連付けられている画面に関連付けた第１アイコンの表示の切り替え時間を設定する。
【００４４】
ここでは、第２画面に関連付けられている頻度をもとに、第１アイコンの表示切り替え時間を設定する。例えば、第１画面が表示されているときに、第２画面が選択された回数が１０回であり、前述した平均値と同程度であるため、アイコン表示部１０３は、切り替え時間を１０秒と設定する。
【００４５】
次に、ステップＳ２０３で、アイコン表示部１０３が、第１アイコンを表示する。次に、ステップＳ２０４で、アイコン表示部１０３が、設定された時間（１０秒）が経過したか否かを判断する。ステップＳ２０４におけるアイコン表示部１０３による時間経過の判断で、設定されている時間が経過していない間は（ステップＳ２０４のｎｏ）、ステップＳ２０５で、入力受付部１０４が、現在、表示部１０６に表示されている第１アイコンに対する選択の操作を受け付ける状態で待機する。
【００４６】
次に、ステップＳ２０４で、アイコン表示部１０３が、設定されている１０秒が経過したことを判断すると（ステップＳ２０４のｙｅｓ）、ステップＳ２０６で、アイコン表示部１０３が、画面情報記憶部１０１に記憶されている画面情報の中で、画面表示部１０２が表示部１０６に現在表示している第１画面（現画面）に対し、表示順位に則って次の次に表示される第３画面を表示するための画面情報に関連付けた第１アイコンについて、切り替え時間を設定する。アイコン表示部１０３は、頻度記憶部１０７に記憶されている頻度の大きさに対応して、頻度に関連付けられている画面に関連付けた第３画面の第１アイコンへの表示の切り替え時間を設定する。
【００４７】
ここでは、第３画面に関連付けられている頻度をもとに、第１アイコンの表示切り替え時間を設定する。例えば、第１画面が表示されているときに、第３画面が選択された回数が５回であり、前述した平均値より小さいため、アイコン表示部１０３は、切り替え時間を１０秒より少ない６秒と設定する。次に、ステップＳ２０３で、アイコン表示部１０３が、切り替えた第１アイコンを表示部１０６に表示する。
【００４８】
また、上述したように、第３画面が第１アイコンとして表示部１０６に表示されている状態で、再度、ステップＳ２０４で、アイコン表示部１０３が、設定されている時間（６秒）が経過したことを判断すると（ステップＳ２０４のｙｅｓ）、ステップＳ２０６で、アイコン表示部１０３が、画面情報記憶部１０１に記憶されている画面情報の中で、画面表示部１０２が表示部１０６に現在表示している第１画面（現画面）に対し、表示順位に則って次に表示される第２画面を表示するために画面情報に関連付け第２画面を第１アイコンに切り替える。次に、ステップＳ２０２で、前述同様に、第２画面に対応する第１アイコンの切り替え時間を、１０秒に設定する。次に、ステップＳ２０３で、切り替えた第１アイコンを表示部１０６に表示する。
【００４９】
ステップＳ２０５における、入力受付部１０４の第１アイコンまたは第２アイコンの選択操作が受けられるまで、上述したステップＳ２０２→ステップＳ２０３→ステップＳ２０４→ステップＳ２０６→ステップＳ２０２を繰り返す。
【００５０】
上述したように、ステップＳ２０２→ステップＳ２０３→ステップＳ２０４→ステップＳ２０６→ステップＳ２０２を繰り返す中で、ステップＳ２０５で、入力受付部１０４が、現在、表示部１０６に表示されている第１アイコンに対する選択の操作を受け付けると（ステップＳ２０５のｙｅｓ）、ステップＳ２０７に移行する。ステップＳ２０７で、画面切替部１０５が、選択された第１アイコンに関連付けられている第２画面または第３画面の画面情報を画面情報記憶部１０１より取り出す。また、画面切替部１０５が、画面表示部１０２が表示部１０６に表示させている現画面（第１画面）を、取り出した画面情報に対応する第２画面または第３画面に切り替えて新たに現画面とする。
【００５１】
上述したように、画面切替部１０５による画面の切り替えがなされた後、ステップＳ２０８で、システムの終了が判断されると（ステップＳ２０８のｙｅｓ）、画面表示部１０２における表示動作を終了する。
【００５２】
一方、ステップＳ２０８で、システムの終了が判断されない場合（ステップＳ２０８のｎｏ）、ステップＳ２０１に戻り、画面表示部１０２は、画面切替部１０５により切り替えられた画面（例えば第２画面）の表示部１０６への表示を継続する。次に、ステップＳ２０２で、アイコン表示部１０３が、画面情報記憶部１０１に記憶されている画面情報の中で、画面表示部１０２が表示部１０６に現在表示している第２画面（現画面）に対し、表示順位に則って次に表示される第３画面を表示するための画面情報に関連付けた第３画面を表示した第１アイコンについて、前述同様に、切り替え時間を設定する。次いで、ステップＳ２０３で、アイコン表示部１０３が、現画面である第２画面の次に表示される第３画面を表示するための画面情報に関連付けた第３画面を第１アイコンをに表示する。
【００５３】
次に、ステップＳ２０４で、アイコン表示部１０３が、設定した時間が経過したか否かを判断する。ステップＳ２０４におけるアイコン表示部１０３による時間経過の判断で、設定した時間が経過していない間は（ステップＳ２０４のｎｏ）、ステップＳ２０５で、入力受付部１０４が、現在、表示部１０６に表示されている第１アイコンに対する選択の操作を受け付ける状態で待機する。
【００５４】
次に、ステップＳ２０４で、アイコン表示部１０３が、設定した時間が経過したことを判断すると（ステップＳ２０４のｙｅｓ）、ステップＳ２０６で、アイコン表示部１０３が、画面情報記憶部１０１に記憶されている画面情報の中で、画面表示部１０２が表示部１０６に現在表示している第２画面（現画面）に対し、表示順位に則って次の次に表示される第１画面を表示するための画面情報に関連付け第１画面を第１アイコンに切り替え、ステップＳ２０２で、切り替え時間を設定し、ステップＳ２０３で、切り替えた第１アイコンを表示部１０６に表示する。
【００５５】
ステップＳ２０５における、入力受付部１０４の第１アイコンの選択操作が受けられるまで、上述したステップＳ２０２→ステップＳ２０３→ステップＳ２０４→ステップＳ２０６→ステップＳ２０２を繰り返す。
【００５６】
上述したように、ステップＳ２０２→ステップＳ２０３→ステップＳ２０４→ステップＳ２０６→ステップＳ２０２を繰り返す中で、ステップＳ２０５で、入力受付部１０４が、現在、表示部１０６に表示されている第１アイコンに対する選択の操作を受け付けると（ステップＳ２０５のｙｅｓ）、ステップＳ２０７に移行する。ステップＳ２０７で、画面切替部１０５が、選択された第１アイコンに関連付けられている第３画面または第１画面の画面情報を画面情報記憶部１０１より取り出す。また、画面切替部１０５が、画面表示部１０２が表示部１０６に表示させている現画面（第２画面）を、取り出した画面情報に対応する第３画面または第１画面に切り替えて新たに現画面とする。
【００５７】
上述した各ステップの動作を、ステップＳ２０８で終了と判断されるまで継続する。
【００５８】
以上に説明したように、実施の形態２においても、一度に表示される選択可能なアイコンは１つに限られるので、誤操作などにより誤ったアイコンが選択されることが抑制できるようになる。また、実施の形態２では、過去の選択履歴を参照するようにしたので、捜査の利便性が向上する。
【００５９】
［実施の形態３］
次に、本発明の実施の形態３に係る表示装置の構成について図５を用いて説明する。この表示装置は、画面情報記憶部１０１、画面表示部１０２、アイコン表示部１０３、入力受付部１０４、画面切替部１０５、表示部１０６、頻度記憶部１０７、および表示順位変更部１０８を備える。
【００６０】
画面情報記憶部１０１、画面表示部１０２、アイコン表示部１０３、入力受付部１０４、画面切替部１０５、表示部１０６は、前述した実施の形態１と同様である。
【００６１】
頻度記憶部１０７は、入力受付部１０４が受け付けた頻度を、第１画面、第２画面、第３画面の各々にそのとき現画面として表示されていた画面別に関連付けて記憶する。頻度記憶部１０７には、過去に、第１画面が現画面として表示されているときに第２画面が選択された頻度、第１画面が現画面として表示されているときに第３画面が選択された頻度、第２画面が現画面として表示されているときに第３画面が選択された頻度、第２画面が現画面として表示されているときに第１画面が選択された頻度、第３画面が現画面として表示されているときに第１画面が選択された頻度、第３画面が現画面として表示されているときに第２画面が選択された頻度が、対応する画面に関連付けられて記憶されている。
【００６２】
表示順位変更部１０８は、頻度記憶部１０７に記憶されている頻度の大きさに対応して画面情報記憶部１０１に記憶されている表示順位を更新する。表示順位変更部１０８は、頻度記憶部１０７に記憶されている頻度の大きさに対応して、画面情報記憶部１０１に記憶されている表示順位を更新する。表示順位変更部１０８は、頻度が高いほど、表示の順位を高くする。
【００６３】
例えば、表示順位変更部１０８は、「第１画面が現画面として表示されているときに第３画面が選択された頻度」＞「第１画面が現画面として表示されているときに第２画面が選択された頻度」であれば、第１画面の次に第３画面が表示され、第３画面の次に第２画面が表示され、第２画面の次に第１画面が表示されるように、画面情報記憶部１０１に記憶されている表示順位を更新する。
【００６４】
次に、実施の形態３における表示装置の動作例について、図６のフローチャートを用いて説明する。
【００６５】
まず、ステップＳ３０１で、表示順位変更部１０８は、頻度記憶部１０７に記憶されている頻度の大きさに対応して画面情報記憶部１０１に記憶されている表示順位を更新する。例えば、頻度記憶部１０７に、「第１画面が現画面として表示されているときに第３画面が選択された頻度」＞「第１画面が現画面として表示されているときに第２画面が選択された頻度」で各頻度が記憶されているので、表示順位変更部１０８は、第１画面の次には、第３画面が表示され、第３画面の次に第２画面が表示され、第２画面の次に第１画面が表示されるように、画面情報記憶部１０１に記憶されている表示順位を更新する。
【００６６】
次に、ステップＳ３０２で、画面表示部１０２が、画面情報記憶部１０１に記憶されている第１画面の画面情報に対応する画面（第１画面）を表示部１０６に表示する。
【００６７】
次に、ステップＳ３０３で、アイコン表示部１０３が、画面情報記憶部１０１に記憶されている画面情報の中で、画面表示部１０２が表示部１０６に現在表示している第１画面（現画面）に対し、表示順位に則って次に表示される第３画面を表示するための画面情報に関連付け、第３画面を第１アイコンに表示する。
【００６８】
次に、ステップＳ３０４で、アイコン表示部１０３が、設定されている時間（例えば１０秒）が経過したか否かを判断する。ステップＳ３０４におけるアイコン表示部１０３による時間経過の判断で、設定されている時間が経過していない間は（ステップＳ３０４のｎｏ）、ステップＳ３０５で、入力受付部１０４が、現在、表示部１０６に表示されている第１アイコンに対する選択の操作を受け付ける状態で待機する。
【００６９】
次に、ステップＳ３０４で、アイコン表示部１０３が、設定されている１０秒が経過したことを判断すると（ステップＳ３０４のｙｅｓ）、ステップＳ３０６で、アイコン表示部１０３が、画面情報記憶部１０１に記憶されている画面情報の中で、画面表示部１０２が表示部１０６に現在表示している第１画面（現画面）に対し、表示順位に則って次の次に表示される第２画面を表示するための画面情報に関連付け、第２画面を第１アイコンに切り替え、ステップＳ３０３で、切り替えた第１アイコンを表示部１０６に表示する。
【００７０】
また、上述したように、第１アイコンが表示部１０６に表示されている状態で、再度、ステップＳ３０４で、アイコン表示部１０３が、設定されている時間が経過したことを判断すると（ステップＳ３０４のｙｅｓ）、ステップＳ３０６で、アイコン表示部１０３が、画面情報記憶部１０１に記憶されている画面情報の中で、画面表示部１０２が表示部１０６に現在表示している第１画面（現画面）に対し、表示順位に則って次に表示される第３画面を表示するための画面情報に関連付け、第３画面を第１アイコンに切り替え、ステップＳ３０３で、切り替えた第１アイコンを表示部１０６に表示する。
【００７１】
ステップＳ３０５における、入力受付部１０４の第１アイコンの選択操作が受けられるまで、上述したステップＳ３０３→ステップＳ３０４（１０秒待機）→ステップＳ３０６→ステップＳ３０３を繰り返す。
【００７２】
上述したように、ステップＳ３０３→ステップＳ３０４→ステップＳ３０６→ステップＳ３０３を繰り返す中で、ステップＳ３０５で、入力受付部１０４が、現在、表示部１０６に表示されている第１アイコンに対する選択の操作を受け付けると（ステップＳ３０５のｙｅｓ）、ステップＳ３０７に移行する。ステップＳ３０７で、画面切替部１０５が、選択された第１アイコンに関連付けられている第３画面または第２画面の画面情報を画面情報記憶部１０１より取り出す。また、画面切替部１０５が、画面表示部１０２が表示部１０６に表示させている現画面（第１画面）を、取り出した画面情報に対応する第３画面または第２画面に切り替えて新たに現画面とする。
【００７３】
上述したように、画面切替部１０５による画面の切り替えがなされた後、ステップＳ３０８で、システムの終了が判断されると（ステップＳ３０８のｙｅｓ）、画面表示部１０２における表示動作を終了する。
【００７４】
一方、ステップＳ３０８で、システムの終了が判断されない場合（ステップＳ３０８のｎｏ）、ステップＳ３０１に戻り、表示順位変更部１０８は、頻度記憶部１０７に記憶されている頻度の大きさに対応して画面情報記憶部１０１に記憶されている表示順位を更新する。ここでは、頻度記憶部１０７に記憶されている頻度の大きさに大きな変動がないので、前述同様に、第１画面の次には、第３画面が表示され、第３画面の次に第２画面が表示され、第２画面の次に第１画面が表示されるように、画面情報記憶部１０１に記憶されている表示順位が更新される。言い換えると、この場合は表示順位が変更されない。
【００７５】
次に、ステップＳ３０２で、画面表示部１０２は、画面切替部１０５により切り替えられた画面（例えば第３画面）の表示部１０６への表示を継続する。次に、ステップＳ３０３で、アイコン表示部１０３が、現画面である第３画面の次に表示される第２画面を表示するための画面情報に関連付け、第１アイコンを表示する。
【００７６】
次に、ステップＳ３０４で、アイコン表示部１０３が、１０秒が経過したか否かを判断する。ステップＳ３０４におけるアイコン表示部１０３による時間経過の判断で、１０秒が経過していない間は（ステップＳ３０４のｎｏ）、ステップＳ３０５で、入力受付部１０４が、現在、表示部１０６に表示されている第１アイコンに対する選択の操作を受け付ける状態で待機する。
【００７７】
次に、ステップＳ３０４で、アイコン表示部１０３が、設定されている１０秒が経過したことを判断すると（ステップＳ３０４のｙｅｓ）、ステップＳ３０６で、アイコン表示部１０３が、画面情報記憶部１０１に記憶されている画面情報の中で、画面表示部１０２が表示部１０６に現在表示している第３画面（現画面）に対し、表示順位に則って次の次に表示される第１画面を表示するための画面情報に関連付け、第１画面を第１アイコンに切り替え、ステップＳ３０３で、切り替えた第１アイコンを表示部１０６に表示する。
【００７８】
ステップＳ３０５における、入力受付部１０４の第１アイコンの選択操作が受けられるまで、上述したステップＳ３０３→ステップＳ３０４（１０秒待機）→ステップＳ３０６→ステップＳ３０３を繰り返す。
【００７９】
上述したように、ステップＳ３０３→ステップＳ３０４→ステップＳ３０６→ステップＳ３０３を繰り返す中で、ステップＳ３０５で、入力受付部１０４が、現在、表示部１０６に表示されている第１アイコンに対する選択の操作を受け付けると（ステップＳ３０５のｙｅｓ）、ステップＳ３０７に移行する。ステップＳ３０７で、画面切替部１０５が、選択された第１アイコンに関連付けられている第２画面または第１画面の画面情報を画面情報記憶部１０１より取り出す。また、画面切替部１０５が、画面表示部１０２が表示部１０６に表示させている現画面（第３画面）を、取り出した画面情報に対応する第２画面または第１画面に切り替えて新たに現画面とする。
【００８０】
上述した各ステップの動作を、ステップＳ３０８で終了と判断されるまで継続する。
【００８１】
以上に説明したように、実施の形態３においても、一度に表示される選択可能なアイコンは１つに限られるので、誤操作などにより誤ったアイコンが選択されることが抑制できるようになる。また、実施の形態３では、過去の選択履歴を参照するようにしたので、捜査の利便性が向上する。
【００８２】
なお、上述した実施の形態１〜３における表示装置は、図７に示すように、ＣＰＵ（Central Processing Unit；中央演算処理装置）３０１と主記憶装置３０２と外部記憶装置３０３とネットワーク接続装置３０４となどを備えたコンピュータ機器であり、主記憶装置に展開されたプログラムによりＣＰＵが動作することで、上述した各機能が実現される。ネットワーク接続装置３０４は、ネットワーク３０５に接続する。また、各機能は、複数のコンピュータ機器に分散させるようにしてもよい。
【００８３】
以上に説明したように、本発明では、アイコン表示部が、現在表示している第１画面に対し、次に表示される第２画面、および次の次に表示される第３画面を設定されている時間の間隔で切り替えて第１のアイコンに表示する。この結果、本発明によれば、誤操作などにより誤ったアイコンが選択されることが抑制できるようになる。
【００８４】
なお、本発明は以上に説明した実施の形態に限定されるものではなく、本発明の技術的思想内で、当分野において通常の知識を有する者により、多くの変形および組み合わせが実施可能であることは明白である。例えば、上述では、現在の画面に対し、２つの画面が切り替え可能な場合を例に説明したが、これに限るものではない。現在の画面に対し、３つ以上の画面が切り替え可能な場合についても、同様であることは言うまでもない。
【符号の説明】
【００８５】
１０１…画面情報記憶部、１０２…画面表示部、１０３…アイコン表示部、１０４…入力受付部、１０５…画面切替部、１０６…表示部。
【図１】
2018173730.tif 000003
【図２】
2018173730.tif 000004
【図３】
2018173730.tif 000005
【図４】
2018173730.tif 000006
【図５】
2018173730.tif 000007
【図６】
2018173730.tif 000008
【図７】
2018173730.tif 000009